(57)【要約】【課題】操作性を向上させた携帯電話機を提供する。【解決手段】携帯電話機は、通話モード、メールモードなどの複数の動作モードを備えている。携帯電話機に設けられた操作ボタン群の複数の操作ボタンには、動作モード毎に異なる操作機能が割り当てられている。ロックスイッチをロック位置にしてからメールモードを実行させると、メッセージなどの入力操作中に誤ってオンフックボタンが押下されても、オンフックボタンの操作を保留にするので、メールモードが終了することはない。また、ロックスイッチがアンロック位置でメールモードを起動させると、メールモード下でオンフックボタンが誤操作されると、起動中のメールモードは終了される。よって、ロックスイッチ２１の操作に基づいてオンフックボタン３１の操作を保留にしたので、操作性が向上した。【選択図】図５
2007142758.tif 000002
【特許請求の範囲】
【請求項１】
起動された動作モードに応じ、予め決められた複数の操作部を順次に操作することによって一連の処理を実行する携帯電話機において、
前記複数の操作部のうち、少なくとも１つの操作部に対して行われた操作を保留にするか否かを予め設定する保留操作設定手段とを備えたことを特徴とする携帯電話機。
【請求項２】
前記保留操作設定手段は、前記動作モードを終了する処理が割り当てられた操作部に対して行われた操作を保留にすることを特徴とする請求項１記載の携帯電話機。
【請求項３】
前記保留操作設定手段は、前記処理の実行を取り消す処理が割り当てられた操作部に対して行われる操作を保留にすることを特徴とする請求項１または２記載の携帯電話機。
【発明の詳細な説明】
【技術分野】
【０００１】
本発明は、動作モードに応じ、複数の操作部を操作することによって一連の処理を実行する携帯電話機に関するものである。
【背景技術】
【０００２】
近年の携帯電話機は通話機能の他に、メール機能、インターネット機能、ゲーム機能、カメラ機能などの多様な機能を備えたものが幅広く普及している。これらの機能を備えた携帯電話機には、これらの機能を実行する動作モードが設定されており、ユーザは所望の動作モードを選択する。携帯電話機には、電源ボタン、オンフックボタン、オフフックボタン、ダイヤルボタンなどの各種操作ボタンが設けられており、各動作モードに応じて複数の操作ボタンが操作されることによって、一連の処理が実行される。
【０００３】
このような機能を備えた携帯電話機として、特許文献１の携帯電話機（端末）には音楽再生機能が設けられている。特許文献１では、音楽再生処理の実行中に外部に露呈した操作子の機能をロックするロック手段（キーロックスライドキー）が設けられている。これにより、音楽の再生中の携帯電話機をユーザのポケットや鞄内に収納した際に、操作子が誤操作されることを防止している。
【特許文献１】特開２００５−１６７４５５号公報
【発明の開示】
【発明が解決しようとする課題】
【０００４】
しかしながら、携帯電話機に設けられる動作モードとして、例えば電子メールの送受信を行うメールモードがある。このメールモードは、メッセージの入力などを行うために操作ボタンを連続的に操作することが多い。この時、携帯電話機の扱いになれているユーザであっても、操作ボタンを誤操作してしまうことがある。オンフックボタンは、通話モードなど実行中の動作モードを終了させる。そのため、ユーザがメッセージの入力操作中に誤ってオンフックボタンを操作してしまうと実行中のメールモードが終了してしまう。よって、ユーザはメールモードを再び起動し直して、メッセージの入力などの同じ操作を再び行わなければならない。また、特許文献１の携帯電話機は、音楽の再生操作を行った後にポケットや鞄に収納されるので、音楽再生処理の実行中に連続的に操作部が操作されることは稀である。そのため、動作モードの実行中に操作ボタンを連続的に操作する場合の誤操作を防止することに関してはなんら考慮されていない。
【０００５】
本発明は、上記問題を解決するためになされたものであり、操作性を向上させた携帯電話機を提供することを目的とする。
【課題を解決するための手段】
【０００６】
上記目的を達成するために、本発明の携帯電話機は、起動された動作モードに応じ、予め決められた複数の操作部を順次に操作することによって一連の処理を実行する携帯電話機において、前記複数の操作部のうち、少なくとも１つの操作部に対して行われた操作を保留にするか否かを予め設定する保留操作設定手段とを備えたことをものである。
【０００７】
また、前記保留操作設定手段は、前記動作モードを終了する処理が割り当てられた操作部に対して行われた操作を保留にすることが好ましい。また、前記保留操作設定手段は、前記処理の実行を取り消す処理が割り当てられた操作部に対して行われる操作を保留にすることが好ましい。
【発明の効果】
【０００８】
本発明の携帯電話機によれば、起動された動作モードに応じ、予め決められた複数の操作部を順次に操作することによって一連の処理を実行する携帯電話機において、複数の操作部のうち、少なくとも１つの操作部に対して行われた操作を保留にするか否かを予め設定する保留操作設定手段とを備えたので、ユーザが操作部の操作を間違っても、不本意な処理が実行されない。よって、携帯電話機の操作性が向上する。
【０００９】
また、保留操作設定手段は、動作モードを終了する処理が割り当てられた操作部に対して行われた操作を保留にするようにしたので、ユーザが誤操作しても動作モードが終了することがない。また、保留操作設定手段は、処理の実行を取り消す処理が割り当てられた操作部に対して行われる操作を保留にするようにしたので、ユーザが誤操作しても処理の実行が誤って取り消されることはない。よって、携帯電話機の操作性が向上する。
【発明を実施するための最良の形態】
【００１０】
図１は、本発明を用いた携帯電話機２の外観を示す。携帯電話機２は、ヒンジ部３により折り畳み自在に連結された受話器ユニット４と送話器ユニット５とからなる。受話器ユニット４及び送話器ユニット５は、それぞれほぼ直方形に形成されている。
【００１１】
受話器ユニット４の正面４ａには、受話スピーカ７ａ、サウンドスピーカ７ｂ、及び液晶表示装置（ＬＣＤ）８が設けられている。受話器ユニット４の背面には、電波信号を送受信するアンテナ９が取り付けられている。なお、ＬＣＤ８に代えて、ＥＬ（エレクトロルミネッセンス）ディスプレイなどの他の電子表示器を用いることも可能である。
【００１２】
送話器ユニット５の正面５ａには、送話マイク１１、および操作ボタン群１２が設けられている。操作ボタン群１２としては、電源ボタン１３、メニューボタン１４、ダイヤルボタン１５、十字ボタン１６、決定ボタン１７などが設けられている。
【００１３】
携帯電話機２は、動作モードとして通話を行う通話モードと、電子メールの送受信を行うメールモード、携帯電話機２の各種設定を行う設定モード、ユーザに関する情報の設定変更を行うユーザモードとを備えている。これにより、メニューボタン１４は、図２（Ａ）に示すように、メールモード、設定モード、ユーザモードに対応するアイコン２０〜２２、及びカーソル２３からなるメニュー画面２５をＬＣＤ８に表示する。なお、メニューボタン１４の押圧によるメニュー画面２５の表示は、設定モードに含まれる。
【００１４】
また、ダイヤルボタン１５は、電話番号入力や文字入力を行う。十字ボタン１６は、ＬＣＤ８に表示されるカーソル２３を移動させて各種項目やアイコン２０〜２２の選択操作を行う。決定ボタン１７は、十字ボタン１６で選択した項目やアイコン２０〜２２を決定する。
【００１５】
また、ダイヤルボタン１５の上部にはオフフックボタン３０、オンフックボタン３１、クリアボタン３２が設けられている。オフフックボタン３０は通話を開始させる。オンフックボタン３１は、通話モードでは通話を終了させ通話モードを終了させ、通話モード以外の動作モード（メールモード、設定モード、ユーザモード）では、実行中の動作モードを終了させて、図２（Ｂ）に示す待ち受け画面３５をＬＣＤ８に表示する。この待ち受け画面３５は、いずれの動作モードも実行されていない状態で着信を待機している状態である。待ち受け画面３５は、携帯電話機２の電界強度、電池残量、日付、時間などをＬＣＤ８に表示する。また、クリアボタン３２は、各操作ボタンが操作された際に、操作機能に対応する処理の実行を取り消すものである。
【００１６】
また、送話器ユニット５の正面５ａに隣接する右側面５ｂには、スライド自在のロックスイッチ２１が設けられている。保留操作設定手段であるロックスイッチ２１は、図１に示すアンロック位置とこのアンロック位置より上方に設けられたロック位置にスライドする。ロックスイッチ２１がロック位置にある場合には、オンフックボタン３１の操作が保留される。また、アンロック位置にある場合は、オンフックボタン３１の操作が実行される。
【００１７】
アンテナ９は、音声通話や電子メールの送受信を行う際に、他の携帯電話機からの電波信号を受信するとともに、携帯電話機２から発信される電波信号を外部に送信する。
【００１８】
受話スピーカ７ａは、通話相手の音声（受話音声）を小音量で出力する。サウンドスピーカ７ｂは、着信メロディなどを大音量で出力する。ＬＣＤ８には、待ち受け画面３５、メニュー画面２５などの画面が操作ボタン群１２の操作に応じて表示される。送話マイク１１は、話し手（ユーザ）の音声（送話音声）を電気的な音声信号に変換する。この音声信号はアンテナ９から電波として発信され、基地局及び回線網を介して通話相手の携帯電話機に送信される。
【００１９】
図３は、携帯電話機２の電気的構成を示す。システムコントローラ４１は、携帯電話機２の全体の動作を統括的に制御する。システムコントローラ４１には、前述の操作ボタン群１２、ロックスイッチ２１、音声処理回路４２、ＬＣＤドライバ４３、通信Ｉ／Ｆ４５、ＲＯＭ４６、ＲＡＭ４７、及び個人データメモリ４８が接続されている。
【００２０】
音声処理回路４２は、受話スピーカ７ａ、及び送話マイク１１に入出力される音声データに対してノイズ除去などの各種処理を施す。また、着信時にＲＯＭ４６に格納された音楽データを着信メロディとしてサウンドスピーカ７ｂに送る。ＬＣＤドライバ４３は、ＬＣＤ８の表示制御を行う。通信Ｉ／Ｆ４５は、アンテナ９を介して基地局と電波信号の送受信を行う。
【００２１】
ＲＯＭ４６は不揮発性メモリであり、システムコントローラ４１が各部を制御するためのプログラムが格納されている。ＲＯＭ２８に格納されたプログラムには、携帯電話機２に設けられた各種動作モードを実行させるアプリケーションプログラムも含まれる。
【００２２】
また、ＲＡＭ４７は、ＳＲＡＭ（Static RAM）やＤＲＡＭ（Dynamic RAM ）などの揮発性メモリであり、作業用のメモリとしてシステムコントローラ４１との間で高速にデータ入出力を行うことが可能である。
【００２３】
個人データメモリ４６は、ＥＥＰＲＯＭやフラッシュメモリなどの書換え可能なメモリである。個人データメモリ４６は、電話帳に登録した人物に関する個人情報（名前、電話番号、メールアドレスなど）や、送受信された電子メールのメッセージや添付画像が格納されている。なお、個人データメモリ４８とＲＯＭ４６とを書換え可能なメモリを用いて一緒にしてもよい。
【００２４】
メニューボタン１４は、システムコントローラ４１にメニュー表示信号を入力する。システムコントローラ４１は、メニュー表示信号を受けてＬＣＤ８にメニュー画面２５（図２（Ａ）参照）を表示させる。メニュー画面２５に表示されたアイコン２０〜２２を十字ボタン１６の操作によりカーソル２３で選択し、決定ボタン１７によって決定すると、ＲＯＭ４６からシステムコントローラ４１に決定されたアイコン２３（動作モード）に対応するアプリケーションプログラムが読み出されて実行される。
【００２５】
オンフックボタン３１は、システムコントローラ４１に終了信号を入力する。システムコントローラ４１は、終了信号に基づいて実行中のアプリケーションプログラムを終了（動作モードを終了）させ、ＬＣＤ８には待ち受け画面３５（図２（Ｂ）参照）を表示させる。
【００２６】
ダイヤルボタン１５は、システムコントローラ４１に各ダイヤルボタン１５に割り当てられたテキストデータを入力する。システムコントローラ４１は、ＬＣＤ８にテキストデータに対応する数字や文字を表示させる。これにより、通話モードでは電話番号の入力が行われ、メールモードではメッセージやメールアドレスの入力が行われる。
【００２７】
また、ロックスイッチ２１がアンロック位置からロック位置にスライドされると、ロックスイッチ２１はシステムコントローラ４１に保留信号を入力する。制御手段であるシステムコントローラ４１は、保留信号に基づいてオンフックボタン３１の操作を保留する。なお、「保留」とは、オンフックボタン３１に割り当てられた操作機能に対応する処理が実行されない状態、即ち、システムコントローラ４１が動作モードのアプリケーションプログラムの終了処理が実行されない状態を示す。
【００２８】
また、ロックスイッチ２１がアンロック位置にある場合には、ロックスイッチ２１からシステムコントローラ４１に保留信号の入力は行われない。これにより、動作モードの実行中にオンフックボタン３１の操作が行われると、オンフックボタン３１からシステムコントローラ４１に終了信号が入力される。よって、システムコントローラ４１は起動中の動作モードを終了させ、ＬＣＤ８には待ち受け画面を表示する。
【００２９】
携帯電話機２を用いて、メールモードを実行する例を説明する。電源の投入されている携帯電話機２に対してなにも操作が行われないと、ＬＣＤ８には待ち受け画面３５が表示される。メニューボタン１４の押下により表示されるメニュー画面２５でメールモードのアイコン２０が決定されると、メールモードのアプリケーションプログラムが実行され、メールモードが起動される。そして、ＬＣＤ８には図４（Ａ）に示すメールモード画面５０が表示される。メールモード画面５０は、受信メール、送信メール、新規メール作成、メール設定の項目を備えており、ユーザはカーソル５１で所望の項目を選択する。
【００３０】
受信メールの項目が選択されると、携帯電話機２が受信した電子メールの内容が表示される。送信メールの項目が選択されると、ユーザが送信した電子メールの内容が表示される。新規作成メールの項目が選択されると、図４（Ｂ）に示す新規にメールを作成するための入力画面５２が表示される。メール設定の項目が選択されると、電子メールの送受信に関する各種設定（着信拒否、文字サイズなど）画面が表示される。
【００３１】
ユーザがメールを作成、送信する場合には、新規作成メールの項目を選択してＬＣＤ８に図４（Ｂ）に示す入力画面５２を表示させる。入力画面５２には、上から順番に受信者のメールアドレス、タイトル、本文メッセージの入力が行われる空欄５５〜５７が表示される。空欄５５〜５７のいずれかを選択すると、入力画面５２に切り替わって図示しないアドレス入力画面、タイトル入力画面や、図４（Ｃ）に示す本文入力画面５８のいずれかが表示される。また、入力画面５０の一番下には、メール送信ボタン６０が表示されている。メール送信ボタン６０は、メールアドレス、タイトル、本文メッセージの入力操作が完了すると選択され、受信者に電子メールを送信する。なお、操作ボタン群１２による文字や数字の入力方法は、周知の方法を適宜に用いることが好ましい。
【００３２】
このように、メールモードを実行すると項目の選択操作や、メールアドレス、タイトル、本文メッセージの入力操作など操作ボタン群１２を連続的に操作する必要がある。なお、動作モードとしてメールモードを実行した場合を説明したが、他の動作モードの場合も設定変更操作や表示画面の切替操作などを行うために操作ボタン群１２を連続的に操作する必要がある。そのため、携帯電話機２に設けられたロックスイッチ２１は、動作モードを起動させる前にロック位置にすることで、オンフックボタン３１の誤操作によって動作モードが終了することを防止するものである。
【００３３】
上記構成の携帯電話機２の作用について、図５に示すフローチャートに従って説明する。携帯電話機２は、受話器ユニット４の正面４ａおよび送話器ユニット５の正面５ａが対向するように折り畳まれた非使用状態から、図１に示すヒンジ部３を中心として受話器ユニット４の正面４ａおよび送話器ユニット５の正面５ａを離間させる使用状態に広げられて使用される。この時、オンフックボタン３１の誤操作を防止したい場合には、ロックスイッチ２１をアンロック位置からロック位置にスライドさせる。
【００３４】
メニューボタン１４を押下して、図２に示すようにＬＣＤ８に待ち受け画面３５からメニュー画面２５を表示させる。カーソル２３によってメールモードのアイコン２０を選択すると、ＬＣＤ８にメールモード画面５０（図４（Ａ）参照）が表示される。ユーザはカーソル５１で新規メール作成の項目を選択する。これにより、入力画面５２（図４（Ｂ）参照）が表示される。入力画面５２の本文メッセージ用の空欄５７が選択されると、ＬＣＤ８に本文入力画面５８（図４（Ｃ）参照）が表示され、操作ボタン群１２の連続的な操作によってメッセージの入力が行われる。
【００３５】
操作ボタン群１２の操作中に、ユーザが誤ってオンフックボタン３１を押下した時、ロックスイッチ２１がロック位置にある場合には、オンフックボタン３１の押下操作が保留され、メッセージの入力が継続して行われる。しかし、ロックスイッチ２１がアンロック位置にある場合には、オンフックボタン３１の操作が実行されるのでメールモードが終了し、ＬＣＤ８に表示されていた本文入力画面５８が消えて待ち受け画面３５が表示される。そのため、ユーザはもう一度メールモードを起動させ、項目の選択操作、メッセージの入力操作を行わなければならない。従って、ロックスイッチ２１をロック位置に操作することで、オンフックボタン３１の操作が誤って行われても、オンフックボタンの操作が保留され、動作モードの実行が継続されるので、操作性が向上し、大変便利である。
【００３６】
そして、メッセージの入力が終了すると、アドレス用の空欄５５及びタイトル用の空欄５６が順次に選択操作され、受信者のメールアドレス、及びメッセージのタイトルの入力が行われた後、入力画面５２に表示されたメール送信ボタン６０を選択することで、作成した電子メールが受信者の携帯電話機に送信される。
【００３７】
その後、ユーザはロック位置にあるロックスイッチ２１をアンロック位置にスライドさせ、オンフックボタン３１を押下することによってメールモードが終了する。この時、ＬＣＤ８には待ち受け画面３５（図２（Ｂ）参照）が表示される。なお、この実施形態では、本文メッセージの入力操作を行った後にメールアドレスおよびタイトルの入力操作を行っているが、入力する順番は逆でも良い。
【００３８】
なお、上記実施形態では、ロックスイッチ２１をロック位置にすることで、オンフックボタン３１の操作を保留にしたが、これに加えて、ロックスイッチ２１がロック位置にある場合に、処理の実行を取り消すクリアボタン３２の操作を保留にしてもよい。
【００３９】
この場合、操作ボタン群１２の操作中にクリアボタン３２が押下されると、システムコントローラ４１にクリア信号が入力される。システムコントローラ４１は、クリア信号が入力されると、クリアボタン３２が押下される直前に実行した処理を取り消す。これにより、携帯電話機２は取り消された処理が実行される前の状態、つまりクリアボタンが押下される２つ前の操作ボタンが操作された状態に戻る。例えば、メールモードが起動され、十字ボタン１５の選択操作によってメールモード画面５０（図４（Ａ）参照）から入力画面５２（図４（Ｂ）参照）がＬＣＤ８に表示された後で、クリアボタン３２が誤って押下されると、入力画面５２の表示処理が取り消されるので、入力画面５２に代わりメールモード画面５０が表示される。
【００４０】
このように、オンフックボタン３１とともにクリアボタンの誤操作を防止するためには、ユーザはメールモードを起動させる前にロックスイッチ２１をアンロック位置からロック位置にスライドさせる。これによりロックスイッチ２１からシステムコントローラ４１に保留信号が入力され、この保留信号に基づいてシステムコントローラ４１はオンフックボタン３１からの終了信号およびクリアボタン３２からのクリア信号が保留される。従って、ユーザが操作ボタン群１２を連続的に操作している際に、クリアボタン３２を誤って押下しても、クリアボタン３２が押下される前に実行された処理が取り消されることはない。よって、携帯電話機３２の操作性が向上した。
【００４１】
なお、上記実施形態では、メッセージの入力操作の時にオンフックボタン３１またはクリアボタン３２が押下された場合を例に挙げて説明したが、メールモードにおいて項目の選択操作やアドレスやタイトルの入力操作の時にオンフックボタン３１が誤って操作された場合でも、ロックスイッチ２１をロック位置にしていれば、メールモードが終了することはなく、選択操作や入力操作を継続して行うことができる。
【００４２】
また、実行中のメールモードを途中で終了したい場合には、ロック位置にあるロックスイッチ２１をアンロック位置にスライドさせ、オンフックボタン３１を操作することにより、メールモードが終了されてＬＣＤ８には待ち受け画面３５が表示される。
【００４３】
また、携帯電話機２は、通話モード、設定モード、ユーザモードの場合もメールモードと同様に、オンフックボタン３１を誤操作しても、ロックスイッチ２１をロック位置にしておけば、起動された動作モードが終了することはない。また、メニュー画面２５からアイコン２０〜２２を選択して各動作モードを実行させたが、通話モードは着信があった場合、または電話番号の入力操作が行われたことを契機に起動されることが好ましい。これにより、ロックスイッチ２１をロック位置にしておけば、ダイヤルボタン１５によって電話番号の入力操作を行っている場合に、オンフックボタン３１を誤操作しても通話モードが終了しないので、電話番号の入力を継続できる。
【００４４】
また、携帯電話機２は、動作モードとしてメールモード、設定モード、ユーザモードを備えたがこれに限らず、インターネットを介してサーバに接続し、ウェブページの閲覧が可能なインターネットモードや、画像の撮影が行えるカメラモードや、カメラモードで撮影した画像を編集する画像編集モードや、音楽の再生を行う音楽再生モードや、スケジュールの管理を行うスケジュールモードや、テレビ番組の受信を行うテレビ番組視聴モードや、ゲームモード、カレンダーモード、計算機モードなどの動作モードを適宜に備えてもよい。また、テレビ番組視聴機能を備えた携帯電話機の場合は、アンテナ９をテレビアンテナとして用い、ＶＨＦ又はＵＨＦのテレビ電波信号を受信することが好ましい。
【００４５】
また、上記実施形態では、保留操作設定手段としてロックスイッチ２１を送話器ユニットの右側面に設けたが、ロックスイッチ２１の設置場所はこれに限らず、ユーザの操作しやすい場所であればよい。また、ロックスイッチ２１をアンロック位置とロック位置にスライドさせたが押しボタン式、セレクト式などのオンフックボタンの操作を保留または実行させるように切り替えられるものであればよい。
【図面の簡単な説明】
【００４６】
【図１】本発明の携帯電話機の構成を示す外観斜視図である。
【図２】メニュー画面及び待ち受け画面を説明する説明図である。
【図３】携帯電話機の電気的構成を示すブロック図である。
【図４】メールモードでＬＣＤに表示させる画面を説明する説明図である。
【図５】メールを送信するまでの流れを示すフローチャートである。
【符号の説明】
【００４７】
２  デジタルカメラ
１２  操作ボタン群
１４  メニューボタン
１５  ダイヤルボタン
１６  十字ボタン
２１  ロックボタン
４１  システムコントローラ
【図１】
2007142758.tif 000003
【図２】
2007142758.tif 000004
【図３】
2007142758.tif 000005
【図４】
2007142758.tif 000006
【図５】
2007142758.tif 000007